(57)【要約】【課題】窓用シャッタ装置の安全性を高めることである。【解決手段】窓枠１の両側に上下方向に延びる一対のレール２を設け、そのレール２に両側部がスライド自在に支持されたシャッタ３の下端部に開閉用の操作バー４を設ける。操作バー４の両端部に、前記シャッタ３の閉鎖状態でレール２の下部内に設けられたロックピン５と係合して操作バー４の上方への移動を阻止するロック金具６を設ける。操作バー４の屋内側にロック金具６のロックを解除する揺動可能なロック解除バー２２を設ける。前記操作バー４の屋内側にサブロック３０を設け、サブロック３０によってロック解除バー２２のロック解除方向の揺動を阻止し、屋外からの悪戯によってロック解除バー２２が揺動操作されるのを防止する。【選択図】図３
2007191921.tif 000002
【特許請求の範囲】
【請求項１】
窓枠の両側に上下方向に延びる一対のレールを設け、そのレールに両側部がスライド自在に支持されたシャッタの下端部に開閉用の操作バーを設け、その操作バーの少なくとも一端部に、前記シャッタの閉鎖状態でレールの下端部内に設けられたロックピンと係合して操作バーの上方への移動を阻止するロック金具を設け、前記操作バーの屋内側に上部を中心にして揺動可能なロック解除バーを設け、そのロック解除バーの屋内側に向けての揺動によって前記ロック金具のロックを解除するようにした窓用のシャッタ装置において、
前記操作バーの屋内側にロック解除バーのロック解除方向の揺動を阻止するサブロックを設けたことを特徴とする窓用のシャッタ装置。
【請求項２】
前記サブロックが、前記操作バーの屋内側下部に取付けられたストッパ部材と、前記ロック解除バーの上部に装着されてロック解除バーの長さ方向に移動可能なスライドピースとから成り、前記ストッパ部材にロック解除バーの屋内側面と間隔をおいて対向する制動壁を設け、前記スライドピースにはロック解除バーと制動壁間において移動可能なスライド片を形成し、前記制動壁には、前記スライド片の当接によってロック解除バーの揺動を阻止するストッパ面と、そのストッパ面の一側にストッパ片の屋内方向への揺動を許容する凹部とを設けた請求項１に記載の窓用のシャッタ装置。
【請求項３】
前記サブロックが、前記操作バーの屋内側下部に取付けられたレバー支持体と、そのレバー支持体の上部に長さ方向の中央部が支持されたスイッチレバーとから成り、前記スイッチレバーの一端部に、そのスイッチレバーの他端部の押下げにより前記ロック解除バーの屋内側面に対向して、そのロック解除バーの屋内方向への揺動を阻止する突出部を設けた請求項１に記載の窓用のシャッタ装置。
【請求項４】
前記サブロックが、前記操作バーの屋内側下部に取付けられたレバー支持体と、そのレバー支持体の上側に支持されて、前記ロック解除バーの上側に張り出すロック位置とロック解除バーの上側から退避する解除位置との間で回動自在とされ、前記ロック位置においてロック解除バーの屋内側への揺動を阻止するサブロックレバーとから成る請求項１に記載の窓用のシャッタ装置。
【請求項５】
前記サブロックが、前記操作バーの長さ方向の任意の位置に取付け可能とされた請求項１乃至４のいずれかに記載の窓用のシャッタ装置。
【発明の詳細な説明】
【技術分野】
【０００１】
この発明は、窓用のシャッタ装置に関するものである。
【背景技術】
【０００２】
一般住宅等においては、窓からの侵入を防止するため、開閉可能なガラス戸の屋外側にシャッタ装置を設けて防犯性を高めるようにしている。
【０００３】
窓用のシャッタ装置においては、窓枠の両側に上下方向に延びる一対のレールを設け、そのレールによって両側部がスライド自在に支持されたシャッタの下端部に開閉用の操作バーを設け、その操作バーの両端部にロック金具を取付け、前記操作バーの引下げによるシャッタの閉鎖状態で窓枠の下部内に設けられたロックピンにロック金具を係合させ、その係合によって操作バーの上方への移動を阻止し、シャッタを閉鎖状態に保持するようにしている。
【０００４】
また、前記操作バーの屋内側に上部を中心にして揺動可能なロック解除バーを設け、そのロック解除バーの屋内側に向けての揺動によって前記ロック金具のロックを解除するようにしている。
【発明の開示】
【発明が解決しようとする課題】
【０００５】
ところで、上記従来の窓用のシャッタ装置においては、ドリル等の工具によって屋外から操作バーに孔をあけ、その孔に棒状物を差し込んで押し込むと、操作バーがロック解除方向に揺動して、ロック金具が係合解除されることになり、安全性を高めるうえにおいて改善すべき点が残されていた。
【０００６】
この発明の課題は、窓用のシャッタ装置の安全性を高めることである。
【課題を解決するための手段】
【０００７】
上記の課題を解決するために、この発明においては、窓枠の両側に上下方向に延びる一対のレールを設け、そのレールに両側部がスライド自在に支持されたシャッタの下端部に開閉用の操作バーを設け、その操作バーの少なくとも一端部に、前記シャッタの閉鎖状態でレールの下端部内に設けられたロックピンと係合して操作バーの上方への移動を阻止するロック金具を設け、前記操作バーの屋内側に上部を中心にして揺動可能なロック解除バーを設け、そのロック解除バーの屋内側に向けての揺動によって前記ロック金具のロックを解除するようにした窓用のシャッタ装置において、前記操作バーの屋内側にロック解除バーのロック解除方向の揺動を阻止するサブロックを設けた構成を採用したのである。
【０００８】
ここで、サブロックとして、以下の(Ｉ)乃至(III)に記載のものを採用することができる。
【０００９】
(Ｉ) 前記操作バーの屋内側下部に取付けられたストッパ部材と、前記ロック解除バーの上部に装着されてロック解除バーの長さ方向に移動可能なスライドピースとから成り、前記ストッパ部材にロック解除バーの屋内側面と間隔をおいて対向する制動壁を設け、前記スライドピースにはロック解除バーと制動壁間において移動可能なスライド片を形成し、前記制動壁には、前記スライド片の当接によってロック解除バーの揺動を阻止するストッパ面と、そのストッパ面の一側にストッパ片の屋内方向への揺動を許容する凹部とを設けた構成から成るもの。
【００１０】
(II) 前記操作バーの屋内側下部に取付けられたレバー支持体と、そのレバー支持体の上部に長さ方向の中央部が支持されたスイッチレバーとから成り、前記スイッチレバーの一端部に、そのスイッチレバーの他端部の押下げにより前記ロック解除バーの屋内側面に対向して、そのロック解除バーの屋内方向への揺動を阻止する突出部を設けた構成からなるもの。
【００１１】
(III) 前記操作バーの屋内側下部に取付けられたレバー支持体と、そのレバー支持体の上側に支持されて、前記ロック解除バーの上側に張り出すロック位置とロック解除バーの上側から退避する解除位置との間で回動自在とされ、前記ロック位置においてロック解除バーの屋内側への揺動を阻止するサブロックレバーとから成るもの。
【００１２】
この発明に係る窓用のシャッタ装置において、前記サブロックを操作バーの長さ方向の任意の位置に取付け可能とすることにより、窓の障子を、左右いずれの側を開けるようにしてもサブロックの操作を行うことができる。
【発明の効果】
【００１３】
上記のように、前記操作バーの屋内側にロック解除バーのロック解除方向の揺動を阻止するサブロックを設けることによって、そのサブロックをロック状態とすることでロック解除バーをロック状態に保持することができるため、屋外からの悪戯によってロック解除バーが解除方向に揺動されるのを防止することができ、安全性の極めて高い窓用のシャッタ装置を得ることができる。
【発明を実施するための最良の形態】
【００１４】
以下、この発明の実施の形態を図面に基いて説明する。図１に示すように、窓枠１の両側には上下方向に長く延びる一対のレール２が設けられ、そのレール２に沿ってシャッタ３の両側部がスライド自在とされている。
【００１５】
図３に示すように、シャッタ３は、屈曲自在に連結された多数のスラット３ａからなる。このシャッタ３は一対のレール２の上部間に設けられた図示省略の巻胴によって巻取り可能とされ、下端には開閉操作用の操作バー４が設けられ、その操作バー４の引き下げにより巻胴からシャッタ３が引き出されて閉鎖状態とされる。
【００１６】
図１に示すように、操作バー４は、一対のレール２間に渡る長さを有し、その両端部には、各レール２の下端部内に設けられたロックピン５に対する係合により操作バー４の上方への移動を阻止して、シャッタ３を閉鎖状態に保持するロック金具６が設けられている。
【００１７】
図２および図６に示すように、ロック金具６は、操作バー４に固定される側面Ｕ字形の支持枠７を有している。支持枠７の対向する板体７ａには、前記ロックピン５に対向して下端から上方に延びるガイド孔８が形成され、操作バー４を閉鎖位置まで引き下げると、そのガイド孔８内にロックピン５が挿入するようになっている。
【００１８】
支持枠７には、一対の板体７ａによって両端部が支持された一対のピン９，１０が左右方向に間隔をおいて設けられ、外側に位置するピン９によって係合レバー１１が揺動自在に支持されている。
【００１９】
係合レバー１１は、その長さ方向の中央部がピン９によって支持され、その一端部には二股片１２が設けられている。係合レバー１１は、二股片１２がガイド孔８の長さ方向に対して交差する状態まで揺動した位置がロック位置とされ、また、二股片１２間に形成された長孔１３の開口が図１０に示すように、ガイド孔８の下端開口にほぼ一致する状態まで揺動した位置がロック解除位置とされている。
【００２０】
また、係合レバー１１の他端部外周には、第１切欠部１４と、第２切欠部１５が間隔をおいて形成され、第１切欠部１４は係合レバー１１がロック位置まで揺動した際に前記ピン１０の一側よりやや下側に臨む状態とされる。また、第２切欠部１５は、係合レバー１１がロック解除位置まで揺動した際にピン１０の一側よりやや下側に臨む状態とされる。
【００２１】
また、一対のピン９，１０のうち、内側に位置するピン１０によってロックレバー１６が揺動自在に支持されている。ロックレバー１６は、その長さ方向の中央部がピン１０によって支持され、その一端部と第１切欠部１４の係合によって係合レバー１１がロック位置に保持されるようになっている。
【００２２】
また、ロックレバー１６の一端部と第２切欠部１５の係合によって係合レバー１１はロック解除位置に保持されるようになっている。
【００２３】
上記ロックレバー１６の他端部は、支持枠７の内側縁から外側に位置し、その他端部に屋内側に向けて斜め下向きの係合片１７が設けられ、その係合片１７を引上げることによって、ロックレバー１６はその一端が係合レバー１１の他端から離反する方向(係合解除方向)に揺動するようになっている。
【００２４】
係合レバー１１とロックレバー１６の相互間には弾性部材１８が組込まれている。弾性部材１８は、係合レバー１１をロック解除方向に向けて付勢し、かつロックレバー１６を係合方向に向けて付勢している。
【００２５】
図３に示すように、操作バー４の屋内側面には、操作バー４の左右方向に長く延びる上側リブ１９と、その上側リブ１９の下方に下側リブ２０とが一体に設けられ、その下側リブ２０の上面に縦リブ２１が設けられている。
【００２６】
上側リブ１９の側縁には円柱上の突条１９ａが設けられ、その突条１９ａによってロック解除バー２２の上部が支持されている。ロック解除バー２２は左右方向に長く延び、その上側には屋内側に向けて円弧状の操作板２２ａが設けられている。
【００２７】
ロック解除バー２２は、図２および図９に示すように、ピン２３が設けられている。ピン２３は前記ロックレバー１６の他端部に設けられた係合片１７の端部に係合し、上記操作板２２ａの引上げによりロック解除バー２２を屋内側に揺動させることによって、ロックレバー１６がロック解除方向に揺動するようになっている。
【００２８】
図３乃至図５に示すように、操作バー４の屋内側にはロック解除バー２２の屋内方向(ロック解除方向)への揺動を阻止するサブロック３０が設けられている。
【００２９】
サブロック３０は、操作バー４の屋内側の下部に設けられたストッパ部材３１と、ロック解除バー２２の上側に装着されたスライドピース３２とから成る。
【００３０】
ストッパ部材３１は操作バー４の下側リブ２０上に載置され、縦リブ２１の背面側に設けられた裏板３３にねじ込まれるビス３４の締付けによって操作バー４に固定されている。
【００３１】
上記のように、裏板３３にねじ込まれるビス３４の締付けによってストッパ部材３１を取付けるようにすることによって、サブロック３０を操作バー４の長さ方向の任意の位置に取付けることができ、窓の障子を左右いずれの側を開けるようにしてもサブロック３０の操作を行うことができる。
【００３２】
ストッパ部材３１は、ロック解除バー２２の屋内面と間隔をおいて対向する制動壁３１ａを有し、その制動壁３１ａの両側に一対の側壁３１ｂが設けられている。
【００３３】
スライドピース３２は、ロック解除バー２２の操作板２２ａが嵌合可能な嵌合孔３５を有し、その嵌合孔３５に対する操作板２２ａの嵌合によって、スライドピース３２はロック解除バー２２の長さ方向にスライド自在とされている。
【００３４】
スライドピース３２の下部には、ロック解除バー２２と制動壁３１ａ間に配置されてストッパ部材３１の一対の側壁３１ｂ間で移動可能なスライド片３２ａが一体に設けられ、そのスライド片３２ａの一側下部に弾性片３６が形成されている。弾性片３６は、先端に係合突部３７を有し、その係合突部３７の両側はテーパ面３７ａとされている。
【００３５】
制動壁３１ａには、スライド片３２ａと対向する面側に、係合凹部３８と、その係合凹部３８の一側にストッパ面３９と、そのストッパ面３９の一側に凹部４０とが設けられ、上記弾性片３６の先端が一方の側壁３１ｂに当接する位置までスライドピース３２を移動させると、係合突部３７が係合凹部３８に係合して、スライド片３２ａがストッパ面３９に対向する位置でスライドピース３２が仮止めされるようになっており、ロック解除バー２２をロック解除方向へ揺動しても、上記ストッパ面３９に対するスライド片３２ａの当接によってロック解除バー２２はロック解除方向の揺動が阻止されるようになっている。
【００３６】
また、スライド片３２ａが他方の側壁３１ｂに当接する位置までスライドピース３２を移動させると、スライド片３２ａが凹部４０と対向し、ロック解除バー２２のロック解除方向の揺動を許容するようになっている。
【００３７】
実施の形態で示すシャッタ装置は上記の構造から成り、図１０は、操作バー４を引下げによってシャッタ３を閉鎖位置の直前まで引下げた状態を示し、ロック金具６のロックレバー１６は係合レバー１１の第２切欠部１５に係合し、その係合によって係合レバー１１は二股片１２間に形成された長孔１３の開口がガイド孔８の開口に臨む状態にある。
【００３８】
なお、シャッタ３の引下げ時、サブロック３０のスライドピース３２は、図７および図８に示すように、スライド片３２ａが制動壁３１ａに形成された凹部４０と対向する位置に変位されている。
【００３９】
図１０に示す状態から操作バー４を引き下げると、二股片１２の一方がロックピン５に当接する。その状態から操作バー４をさらに引下げると、ロックピン５に対する当接によって係合レバー１１がロック方向に揺動すると共に、ロックピン５はガイド孔８および二股片１２間の長孔１３内に入り込む。
【００４０】
操作バー４を閉鎖位置まで引下げると、図２に示すように、ロックレバー１６の一端が係合レバー１１の第１切欠部１４に係合し、その係合によって係合レバー１１はロックピン５と係合する状態にロックされる。
【００４１】
このため、シャッタ３は閉鎖状態に保持される。シャッタ３の閉鎖状態において、ロック解除バー２２の操作板２２ａの引き上げによってそのロック解除バー２２を屋内側に揺動させると、図９(ＩＩ)に示すように、ピン２３がロックレバー１６の係合片１７を引上げることになり、その引上げによってロックレバー１６が揺動して、第１切欠部１４に対する係合が解除する。
【００４２】
第１切欠部１４に対するロックレバー１６の係合解除により、弾性部材１８の押圧によって係合レバー１１は、ロック解除位置に向けて揺動して、ロックピン５に対する係合が解除すると共に、ロックレバー１６が第２切欠部１５に係合して、係合レバー１１はロック解除位置に保持される。
【００４３】
このため、操作バー４を引上げることによって、シャッタ３を開放させることができる。
【００４４】
図３に示すシャッタ３の閉鎖状態において、図７に示すスライドピース３２を同図の右方向にスライドさせると、図４に示すように、弾性片３６の突部３７が係合凹部３８に係合して、スライドピース３２は、そのスライド片３２ａがストッパ面３９と対向する位置に仮止めされ、上記ストッパ面３９に対するスライド片３２ａの当接によって、ロック解除バー２２はロック状態に保持される。
【００４５】
このため、屋外側からドリル等によって操作バー４に孔が開けられ、その孔から棒状物が挿し込まれて操作バー４が押し込まれても、ロック解除バー２２はロック解除方向に揺動するようなことはない。
【００４６】
このため、悪戯によってロック金具６がロック解除されるようなことはなく、防犯性に優れた窓用シャッタ装置を得ることができる。
【００４７】
なお、スライドピース３２を、図８に示すように、そのスライド片３２ａが他方の側壁３１ｂに当接する位置までスライドさせることによって、サブロック３０をロック解除することができる。
【００４８】
図１１および図１２は、ロック解除バー２２をロック状態に保持するサブロック３０の他の例を示す。図１１に示すサブロック３０においては、操作バー４の屋内側下部に固定されたレバー支持体５０の上部にスイッチレバー５１の長さ方向の中央部をピン５２で揺動自在に支持し、そのスイッチレバー５１の屋外側面の一端部に突出部５３を設け、上記スイッチレバー５１の他端部の押下げにより、その突出部５３をロック解除バー２２の屋内側面の下部に対向させて、ロック解除バー２２のロック解除方向への揺動を阻止すると共に、スイッチレバー５１の一端部の押下げによって、突出部５３をロック解除バー２２の屋内側面と対向する位置から下方の位置に退避させて、ロック解除バー２２のロックを解除するようにしている。
【００４９】
ここで、レバー支持体５１の上面には、スイッチレバー５１の一端部と突出部５３および他端部のそれぞれを収容可能とする凹部５４ａ、５４ｂが設けられている。
【００５０】
図１２に示すサブロック３０においては、操作バー４の屋内側下部に固定されたレバー支持体６０の上面に軸挿入孔６１を設け、その軸挿入孔６１にサブロックレバー６２に設けられたレバー軸６３を挿入して回転自在に支持し、上記サブロックレバー６２の上側に設けられたレバー片６４をロック解除バー２２の操作板２２ａ上に張り出す位置までサブロックレバー６２を回動させて、そのロック解除バー２２のロック解除方向の揺動を阻止すると共に、上記レバー片６４が操作片２２ａの上側から退避する位置までサブロックレバー６２を回動させて、ロック解除バー２２のロックを解除するようにしている。
【００５１】
図１１および図１２のいずれの場合も、下側リブ２０の縦リブ２１の背面に裏板７０を設け、その裏板７０にねじ込むビス７１の締め付けにより、レバー支持体５０，６０を固定するようにしている。
【００５２】
上記のように、裏板７０を用いてレバー支持体５０、６０をビス止めすることによって、サブロック３０を操作バー４の長さ方向の任意の位置に取り付けることができる。
【図面の簡単な説明】
【００５３】
【図１】この発明に係る窓用シャッタ装置のロック装置の実施の形態を示す正面図
【図２】図１の一部を拡大して示す正面図
【図３】図２のIII−III線に沿った断面図
【図４】図２のIV−IV線に沿った断面図
【図５】図２に示すサブロックの分解斜視図
【図６】図２のVI−VI線に沿った断面図
【図７】サブロックのロック解除状態を示す正面図
【図８】図７のVIII−VIII線に沿った断面図
【図９】(Ｉ)はロック解除バーのロック解除状態を示す断面図、(II)は側面図
【図１０】シャッタの開放状態を示す正面図
【図１１】(Ｉ)はサブロックの他の例を示す縦断側面図、(II)は(Ｉ)のＸＩ−ＸＩ線に沿った断面図
【図１２】(Ｉ)はサブロックのさらに他の例を示す縦断側面図、(II)は(Ｉ)のＸII−ＸII線に沿った断面図
【符号の説明】
【００５４】
１      窓枠
２      レール
３      シャッタ
４      操作バー
５      ロックピン
６      ロック金具
２２    ロック解除バー
３０    サブロック
３１    スットパ部材
３１ａ  制動壁
３２    スライドピース
３２ａ  スライド片
５０    レバー支持体
５１    スイッチレバー
５３    突出部
６０    レバー支持体
６２    サブロックレバー
【図１】
2007191921.tif 000003
【図２】
2007191921.tif 000004
【図３】
2007191921.tif 000005
【図４】
2007191921.tif 000006
【図５】
2007191921.tif 000007
【図６】
2007191921.tif 000008
【図７】
2007191921.tif 000009
【図８】
2007191921.tif 000010
【図９】
2007191921.tif 000011
【図１０】
2007191921.tif 000012
【図１１】
2007191921.tif 000013
【図１２】
2007191921.tif 000014